(57)【特許請求の範囲】
【請求項１】
柱部材とこの柱部材間に架設された梁部材を備えた建物躯体の外側に、鉛直にまたは前記建物躯体に対して傾斜して設けられる外壁を外壁固定金具によって固定する外壁固定構造であって、
前記建物躯体はその端部が前記柱部材より外側に突出された上階の床を備え、
前記外壁は上下に長尺な複数の外壁フレームと、左右に隣り合う外壁フレーム間に配置され外壁フレームに固定される壁パネルとを備え、
前記外壁固定金具は外壁フレームに対応して複数配置され、前記床の端部に固定される第１固定部と、この第１固定部の側部に設けられて、前記外壁を構成する上下に長尺な外壁フレームの中間部が固定される第２固定部とを備えてなり、
左右に隣り合う外壁固定金具間には左右に長尺な連結フレームが配置され外壁固定金具に接合されるとともに、連結フレームは外壁を構成する壁パネルの裏面に当接されていることを特徴とする外壁固定構造。
【請求項２】
請求項１に記載の外壁固定構造において、
前記床の端部の上面に前記第１固定部の下面が固定され、
前記第２固定部の前記第１固定部と反対側を向く側面に、前記外壁フレームの中間部の側面が固定されていることを特徴とする外壁固定構造
【請求項３】
請求項２に記載の外壁固定構造において、
前記第２固定部の下端部が前記第１固定部より下方に突出しており、この下方に突出している第２固定部の下端部が前記床の端面に当接していることを特徴とする外壁固定構造。
【請求項４】
請求項１〜３のいずれか一項に記載の外壁固定構造において、
前記外壁フレームが上部フレーム、下部フレーム、これら上部フレームと下部フレームとを接合する接合金物を備えており、
前記第２固定部に前記接合金物が固定されていることを特徴とする外壁固定構造。
【発明の詳細な説明】
【技術分野】
【０００１】
本発明は、建物躯体の上階の床の端部に、外壁を固定する外壁固定構造に関する。
【背景技術】
【０００２】
鉄骨建屋に外壁を取り付ける方法の一例として、特許文献１に記載の技術が知られている。これは、上下方向ヘ延びるよう水平方向へ所要間隔をあけて配設される縦胴縁間に、水平方向ヘ延びる横胴縁を掛け渡すように上下方向へ所要間隔をあけて取り付けることによって、外壁フレームを形成し、該外壁フレームに外壁パネルを貼り付けることにより、予め外壁パネルブロックを形成しておき、該外壁パネルブロックを鉄骨建屋の外面を覆うように取り付けて行くようにしたものである。
外壁パネルブロックを鉄骨建屋に取り付ける場合、前記特許文献１には記載されていないが、例えば、外壁フレームを鉄骨建屋の大梁に溶接によって固定したり、ボルト、ナットによって固定する。
【先行技術文献】
【特許文献】
【０００３】
【特許文献１】特開２００１−２５４４５８号公報
【発明の概要】
【発明が解決しようとする課題】
【０００４】
ところで、外壁を建物躯体から外側に所定間隔だけ離間して設けることによって、建物内の容積を大きくする、つまり居住空間を広くすることができるが、その場合、外壁を構成する上下に長尺な外壁フレームの上下端部を建物躯体に固定するとともに、撓み易い外壁フレームの中間部を建物躯体に固定して、外壁フレームに作用する外力に抗するようにする必要がある。
【０００５】
本発明は上記事情に鑑みてなされたもので、外壁を構成する外壁フレームの中間部を建物躯体に確実に固定できる外壁固定構造を提供することを課題としている。
【課題を解決するための手段】
【０００６】
上記課題を解決するために、請求項１に記載の発明は、例えば図１〜図６に示すように、
柱部材４ａ,４ａとこの柱部材４ａ,４ａ間に架設された梁部材４ｂを備えた建物躯体１の外側に、鉛直にまたは前記建物躯体１に対して傾斜して設けられる外壁１０，３０を外壁固定金具２０によって固定する外壁固定構造であって、
前記建物躯体１はその端部が前記柱部材４ａより外側に突出された上階の床６を備え、
前記外壁１０，３０は上下に長尺な複数の外壁フレーム１１と、左右に隣り合う外壁フレーム１１，１１間に配置され外壁フレーム１１に固定される壁パネル１２とを備え、前記外壁固定金具２０は外壁フレーム１１に対応して複数配置され、
前記床６の端部に固定される第１固定部２１と、この第１固定部２１の側部に設けられて、前記外壁１０，３０を構成する上下に長尺な外壁フレーム１１の中間部が固定される第２固定部２２，３２とを備えてなり、
左右に隣り合う外壁固定金具２０，２０間には左右に長尺な連結フレーム２７が配置され外壁固定金具２０に接合されるとともに、連結フレーム２７は外壁を構成する壁パネル１２の裏面に当接されていることを特徴とする。
【０００９】
請求項１に記載の発明によれば、建物躯体１の上階の床６の端部に外壁固定金具２０の第１固定部２１が固定され、前記外壁固定金具２０の第２固定部２２,３２に外壁フレーム１１の中間部が固定されることによって、当該外壁フレーム１１の中間部が前記外壁固定金具２０を介して柱部材４ａより外側に突出している床６の端部に固定されているので、居住空間を広くしつつ外壁フレーム１１の中間部を建物躯体１に確実に固定できる。したがって、外壁フレーム１１の中間部に作用する外力を建物躯体１によって受けて、当該外力に抗することができる。
しかも、外壁の壁パネル１２の裏面を連結フレーム２７で支持できるので、壁パネル１２が外力（風圧）で居住空間側に撓むのを抑えることができる。
【００１０】
請求項２に記載の発明は、請求項１に記載の外壁固定構造において、
前記床６の端部の上面に前記第１固定部２１の下面が固定され、
前記第２固定部２２,３２の前記第１固定部と反対側を向く側面２２ｄ,３２ｄに、前記外壁フレーム１１の中間部の側面が固定されていることを特徴とする。
【００１１】
請求項２に記載の発明によれば、床６の端部の上面に第１固定部２１の下面が固定されているので、第１固定部２１を床６の端部に安定的かつ強固に固定できる。また、第２固定部２２,３２の第１固定部２１と反対側を向く側面２２ｄ,３２ｄに、外壁フレーム１１の中間部の側面が固定されているので、外壁フレーム１１の中間部を安定的かつ強固に固定できる。したがって、外壁フレーム１１の中間部を建物躯体１に安定的かつ強硬に固定できる。
【００１２】
請求項３に記載の発明は、請求項２に記載の外壁固定構造において、
前記第２固定部２２,３２の下端部が前記第１固定部２１より下方に突出しており、
この下方に突出している第２固定部２１の下端部が前記床６の端面に当接していることを特徴とする。
【００１３】
請求項３に記載の発明によれば、第１固定部２１より下方に突出している第２固定部２２,３２の下端部が床６の端面に当接しているので、床６の端部の上面における外壁固定金具２０の位置決めを行うことができる。また、外壁フレーム１１にこれを外側から押圧するように作用する外力を第２固定部２２,３２を介して床６に確実に伝達して、当該床６によって受けることができる。
【００１４】
請求項４に記載の発明は、請求項１〜３のいずれか一項に記載の外壁固定構造において、
前記外壁フレーム１１が上部フレーム１１ａ、下部フレーム１１ｂ、これら上部フレーム１１ａと下部フレーム１１ｂとを接合する接合金物１３を備えており、
前記第２固定部２２,３２に前記接合金物１３が固定されていることを特徴とする。
【００１５】
請求項４に記載の発明によれば、上部フレーム１１ａと下部フレーム１１ｂとを接合する接合金物１３が第２固定部２２,３２に固定されているので、上部フレーム１１ａと下部フレーム１１ｂとの接合部を補強できる。
また、接合金物１３を第２固定部２２,３２に固定した後、当該接合金物１３によって上部フレーム１１ａと下部フレーム１１ｂとを接合できるので、上下に長尺な外壁フレーム１１を容易に建物躯体１に固定できる。
【発明の効果】
【００１６】
本発明によれば、外壁固定金具が床の端部に固定される第１固定部と、この第１固定部の側部に設けられて、外壁フレームの中間部が固定される第２固定部とを備えた構成となっており、建物躯体の上階の床の端部に外壁固定金具の第１固定部が固定され、前記外壁固定金具の第２固定部に外壁フレームの中間部が固定されることによって、当該外壁フレームの中間部が前記外壁固定金具を介して外側に突出している床の端部に固定されているので、居住空間を広くしつつ外壁フレームの中間部を建物躯体に確実に固定できる。したがって、外壁フレームの中間部に作用する外力を建物躯体によって受けて、当該外力に抗することができる。
しかも、外壁の壁パネルの裏面を連結フレームで支持できるので、壁パネルが外力（風圧）で居住空間側に撓むのを抑えることができる。
【図面の簡単な説明】
【００１７】
【図１】本発明に係る外壁固定構造の一例を示すもので、外壁固定構造を有する建物躯体の正面図である。
【図２】同、建物躯体の側面図である。
【図３】同、外壁固定構造の要部を示す正面図である。
【図４】同、外壁固定金具を示すもので、（ａ）は正面図、（ｂ）は下面図、（ｃ）は側面図である。
【図５】本発明に係る外壁固定構造の他の例を示すもので、外壁固定構造を有する建物躯体の正面図である。
【図６】同、外壁固定構造の要部を示す正面図である。
【発明を実施するための形態】
【００１８】
以下、図面を参照して本実施の形態を説明する。
（第１の実施の形態）
図１は本発明に係る外壁固定構造を有する建物躯体の正面図、図２は同側面図である。
図１および図２に示すように、この建物躯体１は２階建て構造になっており、基礎２の上面に土台３が設けられており、この土台３に複数の門形フレーム４が図１において紙面と直交する方向（図２において左右方向）に平行離間して設置されている。
この門形フレーム４は左右一対の柱部材４ａ,４ａとこの柱部材４ａ,４ａ間に架設された梁部材４ｂとによって構成されている。隣り合う門形フレーム４,４どうしは小壁５および２階の床６によって連結されている。
２階には、１階と同様に、床６に複数の門形フレーム４が図１において紙面と直交する方向に平行離間して、かつ１階の門形フレーム４の直上に配置されている。隣り合う門形フレーム４,４どうしは小壁５および２階の天井床８によって連結されている。
なお、２階の床６および天井床８は、それぞれ複数の床パネルを接合することによって構成されている。床パネルは矩形枠の上面に合板等からなる面材を取り付けたものであり、矩形枠内には必要に応じて補強桟材が取り付けられている。
また、２階の天井床８の上方には、屋根９が設けられている。屋根９は２階の天井床８に立設された屋根束９ａによって支持されている。
【００１９】
前記門形フレーム４を構成する柱部材４ａは、縦長の木質の壁パネルによって構成されているが、これに限らず、角材や鉄骨によって構成してもよい。梁部材４ｂは、横長の壁パネルによって構成されているが、これに限らず、角材や鉄骨によって構成してもよい。
なお、壁パネルは、矩形枠の表裏両面に合板等からなる面材を取り付けてなるものであり、矩形枠内には必要に応じて補強桟材が取り付けられている。
【００２０】
前記建物躯体１の２階の床６の端部は、門形フレーム４より外側に突出している。
一方、建物躯体１の側部には、外壁１０が床６に対して傾斜して配置されている。この外壁１０は、上下に長尺な複数の外壁フレーム１１と、矩形状の複数の壁パネル１２と、外壁フレーム１１および壁パネル１２に取り付けられた外壁仕上材としての外壁材１２ａとを備えている。
外壁フレーム１１は門形フレーム４の配置方向（図２において左右方向）に所定間隔で複数配置されており、例えば門形フレーム４と同数を、当該門形フレーム４の配置位置に対応させて配置されている。
壁パネル１２は、矩形枠の表裏両面に合板等からなる面材を取り付けてなるものであり、矩形枠の内部には必要に応じて補強桟材が取り付けられている。また、壁パネル１２は左右に隣り合う外壁フレーム１１,１１間に配置され、これら外壁フレーム１１,１１に固定されている。また、外壁フレーム１１の表面と壁パネル１２の表面とは面一となっている。
外壁材１２ａは矩形板状に形成されており、隣り合う外壁フレーム１１,１１間において壁パネル１２の表面に配置されたうえで、当該壁パネル１２に固定され、さらに、外壁材１２ａの側端部は外壁フレーム１１に固定されている。
また、隣り合う外壁材１２ａ,１２ａの側端部は外壁フレーム１１上で目地部によって接合され、接合された側端部が当該外壁フレーム１１に固定されている。
また、外壁材１２ａの上端部は前記屋根９に接合され、下端部は外壁フレーム１１の下端部まで延出されている。
【００２１】
前記外壁フレーム１１は、上部フレーム１１ａと、下部フレーム１１ｂと、これら上部フレーム１１ａと下部フレーム１１ｂとを接合する接合金物１３とを備えている。
上部フレーム１１ａは断面四角形状の角材によって形成されており、その上端部は２階の天井床８に固定されている。
下部フレーム１１ｂは、上部フレーム１１ａと断面形状が等しい角材によって形成されており、その下端部には固定金具１４が取り付けられている。一方、基礎２には取付金具１５が固定されており、この取付金具１５に固定金具１４を取り付けることによって、下部フレーム１１ｂの下端部が基礎２に固定されている。
【００２２】
接合金物１３は、図３に示すように、コ字形に形成されており、この接合金物１３の一片部１３ａに上部フレーム１１ａの下端面が当接されたうえで、当該下端面に木ねじ１６が一片部１３ａを通してねじ込まれることによって、上部フレーム１１ａの下端部が接合金物１３に固定されている。また、接合金物１３の他片部１３ｂに下部フレーム１１ｂの上端面が当接されたうえで、当該上端面に木ねじ１６が他片部１３ｂを通してねじ込まれることによって、下部フレーム１１ｂの上端部が接合金物１３に固定されている。
このようにして、上部フレーム１１ａと下部フレーム１１ｂとは接合金物１３によって接合されている。
【００２３】
また、前記外壁フレーム１１の中間部は、外壁固定金具２０によって、２階の床６の端部に固定されている。
外壁固定金具２０は、図３および図４に示すように、第１固定部２１と第２固定部２２とを備えている。
第１固定部２１は、２階の床６の端部に固定されるものであり、Ｈ形鋼で形成された本体部２１ａと、この本体部２１ａの上部に固定された上板部２１ｂと、本体部２１ａの下部に固定された下板部２１ｃとから構成されており、下板部２１ｃには４つの孔２１ｄが形成されている。
第２固定部２２は、第１固定部２１の側部に設けられたものであり、正面視台形状に形成された本体部２２ａと、この本体部２２ａの上部と下部に固定された補強板部２２ｂ,２２ｃとを備えている。また、本体部２２ａの第１固定部２１と反対側を向く側面２２ｄは水平な底面に対して傾斜しており、この傾斜している側面２２ｄを形成する壁部には２つの孔２２ｅ,２２ｅが形成されている。さらに、第２固定部２２の下端部は第１固定部２１より下方に突出している。なお、前記補強板部２２ｃには孔２２ｆが形成されている。
【００２４】
上記のように構成された外壁固定金具２０は、図３に示すように、前記床６の端部に第１固定部２１が固定されている。すなわち、床６の端部の上面には第１固定部２１の下板部２１ｃが当接されており、この下板部２１ｃに形成されている孔２１ｄに木ねじ２４を挿通し、床６の端部にねじ込むことによって、床６の端部に第１固定部２１が固定されている。
また、第１固定部２１より下方に突出している第２固定部２２の下端部の第１固定部２１側を向く側面は、床６の端面６ａに当接している。これによって、床６の端部の上面における外壁固定金具２０の位置決めを行うことができる。
【００２５】
また、外壁固定金具２０の第２固定部２２の側面２２ｄには、前記外壁フレーム１１の中間部にある接合金物１３が固定されている。
すなわちまず、前記側面２２ｄには、接合金物１３の側壁部１３ｃが当接されている。そして、前記側面２２ｄを形成する壁部に形成された孔２２ｅからボルト２５を、前記側壁部１３ｃに形成されている孔に挿通したうえで、当該ボルト２５にナット２６を螺合して締め付けることによって、第２固定部２２の側面２２ｄに、前記外壁フレーム１１の中間部にある接合金物１３が固定されている。
このようにして、外壁固定金具２０の第２固定部２２に外壁フレーム１１の中間部にある接合金物１３が固定されることによって、当該外壁フレーム１１の中間部が外壁固定金具２０を介して床６の端部に固定されている。
外壁固定金具２０は、図２に示すように、左右方向に所定間隔で前記床６の端部に複数固定されており、隣り合う外壁固定金具２０,２０は左右に長尺な連結フレーム２７によって連結されている。すなわち、連結フレーム２７の端部には孔を有する端部板が形成されており、この端部板と外壁固定金具２０の第２固定部２２の補強板部２２ｃとを当接し、端部板の孔と補強板部２２ｃの孔２２ｆにボルトを挿通し、ナット螺合して締め付けることによって、連結フレーム２７の端部と外壁固定金具２０の第２固定部２２とが接合されている。これによって、隣り合う外壁固定金具２０,２０は左右に長尺な連結フレーム２７によって連結されている。
また、連結フレーム２７は外壁１０を構成する壁パネル１２の裏面に当接しており、これによって、外壁１０を裏側から支持している。
【００２６】
前記外壁フレーム１１を建物躯体１に固定する場合、例えば、外壁固定金具２０の第１固定部２１を床６の端部に固定した後、当該外壁固定金具２０の第２固定部２２に接合金物１３を固定し、次に、この接合金物１３に外壁フレーム１１の上部フレーム１１ａの下端部を固定するとともに、上端部を天井床８に固定し、また、接合金物１３に下部フレーム１１ｂの上端部を固定するとともに、下端部を基礎２に固定すればよい。
また、これに代えて、上部フレーム１１ａと下部フレーム１１ｂとを接合金物１３によって接合することによって、予め外壁フレーム１１を形成しておく一方で、外壁固定金具２０の第１固定部２１を床６の端部に固定しておき、この外壁固定金具２０の第２固定部２２に外壁フレーム１１の接合金物１３を固定するとともに、外壁フレーム１１の上端部を天井床８に固定し、下端部を基礎２に固定してもよい。
さらに、これに代えて、上部フレーム１１ａと下部フレーム１１ｂとを接合金物１３によって接合することによって、予め外壁フレーム１１を形成するとともに、当該接合金物１３に外壁固定金具２０の第２固定部２２を固定しておき、外壁固定金具２０の第１固定部２１を床６の端部に固定するとともに、外壁フレーム１１の上端部を天井床８に固定し、下端部を基礎２に固定してもよい。
【００２７】
本実施の形態によれば、建物躯体１の２階の床６の端部に外壁固定金具２０の第１固定部２１が固定され、前記外壁固定金具２０の第２固定部２２に外壁フレーム１１の中間部が固定されることによって、当該外壁フレーム１１の中間部が前記外壁固定金具２０を介して前記床６の端部に固定されているので、外壁フレーム１１の中間部を建物躯体１に確実に固定できる。したがって、外壁フレーム１１の中間部に作用する外力を建物躯体１によって受けて、当該外力に抗することができる。
また、床６の端部の上面に第１固定部２１の下面が固定されているので第１固定部２１を床６の端部に安定的かつ強固に固定できる。また、第２固定部２２の第１固定部２１と反対側を向く側面２２ｄに、外壁フレーム１１の中間部の側面が固定されているので、外壁フレーム１１の中間部を安定的かつ強固に固定できる。したがって、外壁フレーム１１の中間部を建物躯体１に安定的かつ強硬に固定できる。
また、外壁固定金具２０,２０どうしを連結する連結フレーム２７によって外壁１０を裏側から支持しているので、外壁１０に作用する外力を建物躯体１によって受けて、当該外力に抗することができる。
【００２８】
さらに、第１固定部２１より下方に突出している第２固定部２２の下端部が床６の端面に当接しているので、床６の端部の上面における外壁固定金具２０の位置決めを行うことができる。また、外壁フレーム１１にこれを外側から押圧するように作用する外力を第２固定部２２を介して床６に確実に伝達して、当該床６によって受けることができる。
加えて、上部フレーム１１ａと下部フレーム１１ｂとを接合する接合金物１３が第２固定部２２に固定されているので、上部フレーム１１ａと下部フレーム１１ｂとの接合部を補強できる。また、接合金物１３を第２固定部２２に固定した後、当該接合金物１３によって上部フレーム１１ａと下部フレーム１１ｂとを接合できるので、上下に長尺な外壁フレーム１１を容易に建物躯体１に固定できる。
【００２９】
（第２の実施の形態）
図４および図５は第２実施の形態を示している。これらの図に示す外壁固定構造が、前記第１の実施の形態の外壁固定構造と異なる点は、外壁が鉛直に配置されている点であるので、以下では、この相違点を詳しく説明し、前記第１の実施の形態と同一構成要素には同一符号を付してその説明を省略ないし簡略化する。
【００３０】
図５に示すように、この建物躯体１は２階建て構造になっており、基礎２の上面に設けられた土台３に複数の門形フレーム４が図５において紙面と直交する方向に平行離間して設置されている。
２階には、１階と同様に、床６に複数の門形フレーム４が図５において紙面と直交する方向に平行離間して、かつ１階の門形フレーム４の直上に配置されている。隣り合う門形フレーム４,４どうしは小壁および２階の屋根２８によって連結されている。
なお、屋根２８は、複数の屋根パネルを接合することによって構成されている。屋根パネルは矩形枠の上面に合板等からなる面材を取り付けたものであり、矩形枠内には必要に応じて補強桟材が取り付けられている。
【００３１】
建物躯体１の側部には、外壁３０が鉛直に配置されている。この外壁３０は、前記第１の実施の形態と同様に、上下に長尺な複数の外壁フレーム１１と、複数の壁パネル１２と、これら壁パネル１２および外壁フレーム１１に取り付けられた外壁材１２ａとを備えている。
外壁フレーム１１は、門形フレーム４の配置方向（図５において紙面と直交する方向）に所定間隔で複数配置されており、例えば門形フレーム４と同数を、当該門形フレーム４の配置位置に対応させて配置されている。
壁パネル１２は、左右に隣り合う外壁フレーム１１,１１間に配置され、これら外壁フレーム１１,１１に固定されている。また、外壁フレーム１１の表面と壁パネル１２の表面とは面一となっている。
外壁材１２ａは矩形板状に形成されており、隣り合う外壁フレーム１１,１１間において壁パネル１２の表面に配置されたうえで、当該壁パネル１２に固定され、さらに、外壁材１２ａの側端部は外壁フレーム１１に固定されている。
また、隣り合う外壁材１２ａ,１２ａの側端部は外壁フレーム１１上で目地部によって接合され、接合された側端部が当該外壁フレーム１１に固定されている
また、外壁材１２ａの上端部は前記屋根２８に接合され、下端部は外壁フレーム１１の下端部まで延出されている。
【００３２】
前記外壁フレーム１１は、上部フレーム１１ａと、下部フレーム１１ｂと、これら上部フレーム１１ａと下部フレーム１１ｂとを接合する接合金物１３とを備えている。
上部フレーム１１ａの上端部は屋根２８に固定されており、下部フレーム１１ｂの下端部は固定金具１４と取付金具１５によって基礎２に固定されている。
また、接合金物１３の一片部１３ａに上部フレーム１１ａの下端面が当接されたうえで、当該下端面に木ねじ１６が一片部１３ａを通してねじ込まれることによって、上部フレーム１１ａの下端部が接合金物１３に固定されている。また、接合金物１３の他片部１３ｂに下部フレーム１１ｂの上端面が当接されたうえで、当該上端面に木ねじ１６が他片部１３ｂを通してねじ込まれることによって、下部フレーム１１ｂの上端部が接合金物１３に固定されている。
このようにして、上部フレーム１１ａと下部フレーム１１ｂとは接合金物１３によって接合されている。
【００３３】
また、前記外壁フレーム１１の中間部は、外壁固定金具２０によって、２階の床６の端部に固定されている。
外壁固定金具２０は、図６に示すように、第１固定部２１と第２固定部３２とを備えている。
第２固定部３２は、第１固定部２１の側部に設けられたものであり、正面矩形形状に形成された本体部３２ａと、この本体部３２ａの上部と下部に固定された補強板部３２ｂ,３２ｃとを備えている。また、本体部３２ａの第１固定部２１と反対側を向く側面３２ｄは鉛直になっており、この鉛直な側面３２ｄを形成する壁部には孔３２ｅが形成されている。さらに、第２固定部３２の下端部は第１固定部２１より下方に突出している。
【００３４】
上記のように構成された外壁固定金具２０は、図６に示すように、前記床６の端部に前記第１の実施の形態と同様にして第１固定部２１が固定されている。
また、第１固定部２１より下方に突出している第２固定部２２の下端部の第１固定部２１側を向く側面は、床６の端面６ａに当接している。これによって、床６の端部の上面における外壁固定金具２０の位置決めを行うことができる。
【００３５】
また、外壁固定金具２０の第２固定部３２の側面３２ｄには、前記外壁フレーム１１の中間部にある接合金物１３が固定されている。
すなわちまず、前記側面３２ｄには、接合金物１３の側壁部１３ｃが当接されている。そして、前記側面３２ｄを形成する壁部に形成された孔３２ｅからボルト２５を、前記側壁部１３ｃに形成されている孔に挿通したうえで、当該ボルト２５にナット２６を螺合して締め付けることによって、第２固定部３２の側面３２ｄに、前記外壁フレーム１１の中間部にある接合金物１３が固定されている。
このようにして、外壁固定金具２０の第２固定部３２に外壁フレーム１１の中間部にある接合金物１３が固定されることによって、当該外壁フレーム１１の中間部が外壁固定金具２０を介して床６の端部に固定されている。
外壁固定金具２０は、左右方向（門形フレーム４の配置方向）に所定間隔で前記床６の端部に複数固定されており、隣り合う外壁固定金具２０,２０は左右に長尺な連結フレーム２７によって連結されている。連結フレーム２７は外壁３０を構成する壁パネル１２の裏面に当接しており、これによって、外壁３０を裏側から支持している。
本実施の形態によれば、前記第１の実施の形態と同様の効果を得ることができる。
【００３６】
なお、前記第１および第２の実施の形態では、外壁フレーム１１の中間部を外壁固定金具２０によって２階の床６の端部に固定したが、建物躯体１が３階建て場合、２階の床の端部と３階の床の端部それぞれに外壁フレーム１１の２か所の中間部をそれぞれ外壁固定金具２０によって固定してもよい。
【符号の説明】
【００３７】
１  建物躯体
６  上階の床
１０,３０  外壁
１１  外壁フレーム
１１ａ  上部フレーム
１１ｂ  下部フレーム
１２  外壁材
１３  接合金物
２０  外壁固定金具
２１  第１固定部
２２,３２  第２固定部
【図１】
0005745825.tif 000002
【図２】
0005745825.tif 000003
【図３】
0005745825.tif 000004
【図４】
0005745825.tif 000005
【図５】
0005745825.tif 000006
【図６】
0005745825.tif 000007